(57)【要約】【課題】  ダブルコピー１８０度で複写する際に、裁断前後のいずれに対しても適切な位置にＱＲコードが印刷された印刷物を生成する。【解決手段】  同一画像を１枚の出力用紙の同一面上に前記出力用紙の裁断面に対して左側の画像と右側の画像とが逆方向になるように複数形成するイメージリピート機能（ダブルコピー１８０度機能）を持つ画像形成装置であって、コードを印刷する位置に応じて、左側の画像と右側の画像の画像配置を制御する制御手段を有する。【選択図】  図１
2013143708.tif 000002
【特許請求の範囲】
【請求項１】
同一画像を１枚の出力用紙の同一面上に前記出力用紙の裁断面に対して左側の画像と右側の画像とが逆方向になるように複数形成するイメージリピート機能（ダブルコピー１８０度機能）を持つ画像形成装置であって、
コードを印刷する位置に応じて、左側の画像と右側の画像の画像配置を制御する制御手段を有する、
ことを特徴とする画像形成装置。
【請求項２】
前記制御手段は、出力用紙の四隅にコードが印刷されるように画像配置を制御することを特徴とする請求項１に記載の画像形成装置。
【請求項３】
同一画像を１枚の出力用紙の同一面上に複数形成するイメージリピート機能を持つ画像形成装置であって、
コードが印刷される設定が行われている場合に、該イメージリピート機能を使う設定を行うことを禁止する制御手段を有する、
ことを特徴とする画像形成装置。
【請求項４】
該イメージリピート機能が、前記出力用紙の裁断面に対して左側の画像と右側の画像とが逆方向になるように画像の形成する場合に該イメージリピート機能を使う設定を行うことを禁止するが、
該イメージリピート機能が、前記出力用紙の裁断面に対して左側の画像と右側の画像とが同じ方向になるように画像を形成する場合には該イメージリピート機能を使う設定を行うことを禁止しない制御手段を有することを特徴とする請求項３に記載の画像形成装置。
【請求項５】
前記もう一方の面にコードが印刷される設定は、
前記片面に印刷されるコードが複製許可情報を示す場合に行われ（Ｓ７００１でＹＥＳ、Ｓ７００２でＹＥＳ、Ｓ７００３でＹＥＳ）、
前記片面に印刷されるコードが複製禁止情報を示す場合には行われない（Ｓ７００１でＮＯ、Ｓ７００２でＮＯ、Ｓ７００３でＮＯ）ことを特徴とする請求項３に記載の画像形成装置。
【請求項６】
片面にコードが印刷される設定が行われており、かつ、もう一方の面にコードが印刷される設定が行われていない場合に、
前記もう一方の面にコードが印刷される設定を行うことを特徴とする画像形成システム。
【請求項７】
前記もう一方の面にコードが印刷される設定は、
前記片面に印刷されるコードが複製許可情報を示す場合に行われ、
前記片面に印刷されるコードが複製禁止情報を示す場合には行われないことを特徴とする請求項６に記載の画像形成システム。
【発明の詳細な説明】
【技術分野】
【０００１】
本願発明は、複製許可情報、複製禁止情報を含むコードを画像として印刷して紙媒体に埋め込む画像形成装置に関するものである。
【背景技術】
【０００２】
原稿サイズの倍のサイズの用紙に、原稿画像を２回リピートさせて出力する「ダブルコピー」という機能がある。ユーザーは出力用紙（原稿の倍のサイズ）を半分に裁断して、原稿サイズの２枚の出力用紙を得ることができる。例えば、原稿サイズがＡ５で、それをＡ４サイズの用紙に２回リピートして出力する。裁断すれば、Ａ５が２枚になる。
【０００３】
このダブルコピーの際に、原稿画像の片方を１８０度回転させて画像形成すれば、ユーザーは裁断面の揃った２枚を得ることができる。これを以下「ダブルコピー１８０度」と呼ぶ。
【０００４】
特許文献１は、出力用紙の同一紙面上に、裁断面に対して互いに逆方向で画像を形成することで、出力用紙の裁断後は各形成画像に対する裁断面を揃えることができる「ダブルコピー１８０度」を開示している。
【０００５】
また、印刷物にＱＲコード(登録商標）等のコードが合せて印刷することにより、複製の許可や禁止を制御する機能（ジョブロック機能）がある。まず、その印刷物をスキャンして得られた画像データからそのコードの検出、デコードを行う。そして、デコードの結果、複製許可情報が得られた場合に、その画像データの印刷されたコピー物を排紙するが、複製禁止情報が得られた場合には、コピー物の排紙を行わない。例えば、ＢＭＬｉｎｋＳの情報マーキング標準仕様では、出力用紙の四隅（の右上、右下、左上、左下のいずれか）の３０ｍｍ以内にコードを埋め込むことになっている。その位置にあるコードを読み取ることになっている。
【０００６】
ここで、ダブルコピー１８０度しながら、かつ、ＱＲコードを印刷してコピーする場合、セキュリティの観点から、裁断前の倍サイズの出力用紙でも、裁断後の２枚の出力用紙でも、いずれも読み取り可能な位置にＱＲが埋め込まれるのが望ましい。
【先行技術文献】
【特許文献】
【０００７】
【特許文献１】特開２００７−０６０４５１号公報
【発明の概要】
【発明が解決しようとする課題】
【０００８】
しかしながら、
１）原稿の倍サイズの裁断前の出力用紙に対して、単純に四隅の１か所だけにＱＲコードを埋め込むとすると、裁断後の２枚の出力用紙のうちの１枚にしかＱＲコードが埋め込まれないことになり、同一の用紙を２枚得たいというユーザ要望に沿えない、という課題がある。
２）裁断後の２枚のそれぞれの出力用紙の四隅の１か所ずつ合計２か所にＱＲコードを埋め込む場合には、元原稿に対していずれの位置にＱＲコードを埋め込むかにより、裁断前の出力用紙では読み取り可能な四隅の位置にＱＲコードが埋め込まれない場合があるため、セキュリティレベルが損なわれてしまう、という課題がある。
【０００９】
本願発明は、以上の課題を鑑みてなされたものであり、その目的とするところは、ダブルコピー１８０度で複写する際に、裁断前後のいずれに対しても適切な位置にＱＲコードが印刷された印刷物を生成する画像形成装置を提供するところにある。
【課題を解決するための手段】
【００１０】
上記課題を解決するため、本願発明に係る画像形成装置は、同一画像を１枚の出力用紙の同一面上に前記出力用紙の裁断面に対して左側の画像と右側の画像とが逆方向になるように複数形成するイメージリピート機能（ダブルコピー１８０度機能）を持つ画像形成装置であって、
コードを印刷する位置に応じて、左側の画像と右側の画像の画像配置を制御する制御手段を有することを特徴とする。
【発明の効果】
【００１１】
本願発明によれば、ダブルコピー１８０度で複写する際に、裁断前後のいずれに対しても適切な位置にＱＲコードが印刷された印刷物が出力されるため、セキュリティレベルの損なわれない印刷物をユーザが得られるという効果がある。
【図面の簡単な説明】
【００１２】
【図１】実施例１のシステム図
【図２】コードの印字位置と出力物との関係を説明する図
【図３】実施例１のフローチャート
【図４】画像形成装置の操作画面（コード埋め込み設定）を示す図
【図５】画像形成装置の操作画面（コード埋め込み位置設定）を示す図
【発明を実施するための形態】
【００１３】
以下では、図面を参照して本願発明を実施するための最良の形態について説明する。
【００１４】
［実施例１］
以下、本実施例では、ダブルコピー１８０度を行う場合に、ＱＲコードを印字する位置に応じて、倍サイズの用紙の四隅にＱＲが位置するように左右の画像配置を制御する処理を詳細に説明する。
【００１５】
図１は、本願発明の実施例１に適用されるシステムを示すシステム図である。
【００１６】
この図では、ＱＲコード１５３が印字されている原稿２０７を（１）読み取って、（２）デコードして、倍サイズの印刷物２０５にダブルコピー１８０度して（３）印刷する例を示している。
【００１７】
画像形成装置であるＭＦＰ１００の構成は、ＣＰＵ１２１、表示部１２２、通信部１２３、受付部１２４、記憶部１２５、印刷部１２６、読取部１２７、デコーダ１２８からなる。
【００１８】
記憶部１２５には、図３のフローチャートに示されるプログラムが記憶されている。ＣＰＵ１２１が記憶部１２５内部のプログラムを実行することでＭＦＰ１００の各構成の処理を統括的に制御する。記憶部１２５には、さらに、ユーザＰＣ１０１から受信した印刷データを一時的に記憶する記憶領域も存在する。記憶部１２５には、さらに、図２に示す各種の画像を記憶する記憶領域が存在する。この各種の画像とは、原稿を読み取った画像（以下、読み取り画像）や、複製の許可・禁止の情報を含むコード画像、読み取り画像にコード画像を合成したコード埋め込み画像などである。
【００１９】
読取部１２７は、原稿を光学的に読み取り、画像データを生成する。読取部１２７で読み取られた画像は、記憶部１２５に格納される。
【００２０】
印刷部１２６は、記憶部１２５から画像を読み出し、印刷を行う。読取部１２７で原稿を読み取り、印刷部１２６に印刷出力することでコピー機能が実現される。
【００２１】
受付部１２４は、キー（ハードキーやソフトキー）入力を受け付けることにより、コピー等のジョブの実行指示を受け付けることができる。また受付部１２４は、各種の印刷条件の設定を受け付けることもできる。
【００２２】
表示部１２２は、ジョブ状況やアラーム、エラー、ＭＦＰ１００の設定などを表示することが可能である。
【００２３】
次に、図４、図５を用いてＭＦＰ１００の設定画面について説明を行う。
【００２４】
図４は実施例を実施するための設定画面を示している。図４の画面ではユーザがコード埋め込み設定を選択することが可能である。表示部１２２によって「＜コード埋め込み＞」が表示されている状態で「複製許可」４０１をユーザが選択すると、受付部１２４が選択を受け付け、ＣＰＵ１２１がＭＦＰ１００のコード埋め込み設定を「複製許可」に設定する。この場合、ＣＰＵ１２１はＭＦＰ１００での印刷処理時に複製許可のコード埋め込みをするよう制御する。
【００２５】
ユーザが「複製禁止」４０２を選択した場合は、ＣＰＵ１２１はＭＦＰ１００のコード埋め込み設定を「複製禁止」に設定する。この場合、ＣＰＵ１２１はＭＦＰ１００での印刷処理時に複製禁止のコード埋め込みをするよう制御する。
【００２６】
また、「埋め込み位置」４０３をユーザが選択すると、受付部１２４が選択を受け付け、ＣＰＵ１２１は表示部１２２に「＜コード埋め込み位置＞」の表示をするように制御する。この「＜コード埋め込み位置＞」の表示については、図５を用いて以下説明する。
【００２７】
図５の画面では、ユーザがコード埋め込み位置設定を選択することが可能である。コード埋め込み位置設定は、ＱＲコードが印刷されていない原稿を複写する場合に、ＱＲコードを印字する位置をユーザが選択して設定するものである。（なお、ＱＲコードが印刷されている原稿を複写する場合には、原稿のＱＲコードが印字されている位置に、印刷される。）。
【００２８】
図５の表示部１２２によって「＜コード埋め込み位置＞」が表示されている状態で「左上」５０１をユーザが選択すると、受付部１２４が選択を受け付け、ＣＰＵ１２１がＭＦＰ１００のコード埋め込み位置設定を「左上」に設定する。この場合、ＣＰＵ１２１はＭＦＰ１００でのコード埋め込み（合成）処理時に、左上にコード埋め込みをするよう制御する。
【００２９】
同様に、ユーザが「右上」５０２を選択した場合は、ＣＰＵ１２１はＭＦＰ１００のコード埋め込み位置設定を「右上」に設定する。
【００３０】
同様に、ユーザが「左下」５０３を選択した場合は、ＣＰＵ１２１はＭＦＰ１００のコード埋め込み位置設定を「左下」に設定する。
【００３１】
同様に、ユーザが「右下」５０２を選択した場合は、ＣＰＵ１２１はＭＦＰ１００のコード埋め込み位置設定を「右下」に設定する。
【００３２】
そしていずれの場合、ＣＰＵ１２１はＭＦＰ１００でのコード埋め込み（合成）処理時に、コード埋め込み位置設定に応じた位置にコード埋め込みをするよう制御する。
【００３３】
次に、実施例１における動作の流れ（図３）について説明を行う。その際、図２を使って各種の画像を補足しながら説明する。
【００３４】
図３は、の例示のフローチャートは、主に、ＣＰＵ１２１が実行するＭＦＰ１００のコピー時における一連の処理手順を示す。この図３に示すフローチャートにおける各ステップの動作の流れは、ＭＦＰ１００内のＣＰＵ１２１が記憶部１２５内部のプログラムを実行し、ＭＦＰ１００の各構成を制御することより実現される。
【００３５】
この図３のステップＳ３００１にて、ＣＰＵ１２１は、ＭＦＰ１００の電源がオペレータにより投入後、基本設定画面を表示部１２２に表示させる。
【００３６】
次に、ステップＳ３００２にてＣＰＵ１２１は、受付部１２４を介してオペレータによるキー操作に応答して各種の印刷条件の設定をオペレータから受け付ける。
【００３７】
次に、ステップＳ３００３にてＣＰＵ１２１は、処理対象のジョブの印刷開始要求がなされたか否かを、コピーのスタートキーがオペレータにより押下された否かに基いて判断する。
【００３８】
例えば、処理対象のジョブの為に各種一連の印刷処理条件がオペレータにより受付部１２４を介してなされたうえで、オペレータが受付部１２４のコピースタートキーを押したとする。この場合、ＣＰＵ１２１は、この印刷開始要求（スタートキー入力）を検知し、ステップＳ３００３にてＹＥＳという判定を行う。これにより、ＣＰＵ１２１は、処理をステップＳ３００３からステップＳ３００４へ進める。
【００３９】
次にステップＳ３００４においてＣＰＵ１２１が原稿台の原稿２０７を読取部１２７にスキャンさせるよう制御し、原稿２０７上の画像を原稿画像（図２の読み取り画像２０２、２０８、２１２、２１８）として読み込む。そしてＣＰＵ１２１は、原稿画像を読み取り画像として、記憶部１２５に格納する。そして、ステップＳ３００５で、ＣＰＵ１２１が原稿画像の中にＱＲコード１５３が存在するかどうかを判定する。
【００４０】
ここで、ＱＲコード１５３が存在すると判定した時にはステップＳ３００６においてＣＰＵ１２１がデコーダ１２８にＱＲコード１５３のデコードを行わせるよう制御する。そして、ＣＰＵ１２１がデコードされたＱＲコード１５３の中のデジタル情報に複製許可フラグが存在するかどうかをステップＳ３００７において検出する。
【００４１】
ここで、複製許可フラグが検出されなかった時は複製が許可されていないので、ステップＳ３００８においてＣＰＵ３００は印刷ジョブのキャンセル処理を行う。そして、ステップＳ３００１に戻って、処理を繰り返すことになる。
【００４２】
一方、複製許可フラグが検出された時はステップＳ３００９においてＣＰＵ１２１は原稿上のＱＲコードの位置を取得し、記憶部１２５に「ＱＲの印字位置」として格納する。原稿上のＱＲコードの位置は、原稿の四隅のどこにＱＲコードが存在していたかによって、左上、右上、左下、右下のいずれかになる。そして、ステップＳ３０１０に進むことになる。
【００４３】
また、ステップＳ３００５において、ＣＰＵ１２１が原稿画像の中にＱＲコード１５３が存在しないと判定した時は、ステップＳ３０１５に進む。ステップＳ３０１５において、ＣＰＵ１２１はコード埋め込み位置設定（図５で説明済）に設定されている位置を取得し、記憶部１２５に「ＱＲの印字位置」として格納する。そして、ステップＳ３０１６において、ＣＰＵ１２１は、印刷処理時に埋め込むべきコードの情報を取得する。図４で説明した「コード埋め込み設定」が、「複製許可」「複製禁止」のいずれであるかを取得する。
【００４４】
そしてステップＳ３０１７で、ＣＰＵ１２１は、「コード埋め込み設定」に従って、コード画像を生成する。すなわち、「複製許可」の場合は、複製許可情報を含むコード画像を生成する。一方「複製禁止」の場合は、複製禁止情報を含むコード画像を生成する（例えば図２のコード画像２０３）。そしてＣＰＵ１２１は、生成したコード画像を記憶部１２５内のコード画像の記憶領域に格納する。
【００４５】
そして、ステップＳ３０１８でＣＰＵ１２１は、記憶部１２５に格納されている読み取り画像（例えば、図２の読み取り画像２０２）にコード画像（例えば、図２のコード画像２０３）を合成する。それにより、コード埋め込み画像（例えば、図２のコード埋め込み画像２０４）を生成する。ＣＰＵ１２１は、生成したコード埋め込み画像を記憶部１２５内の記憶領域に格納する。そして、ステップＳ３０１０に進むことになる。
【００４６】
ステップＳ３００９あるいはステップＳ３０１８から、ステップＳ３０１０に進むと、ＣＰＵ１２１は印刷条件の設定から「ダブルコピー１８０度」をする設定になっているかどうか、を判断する。
【００４７】
ステップＳ３０１０で、ダブルコピー１８０度をする設定になっていないと判断すると、ステップＳ３０１１において、ＣＰＵ１２１は通常の印刷動作を行う。そして、ステップＳ３００１に戻って、処理を繰り返すことになる。
【００４８】
一方、ステップＳ３０１０で、ダブルコピー１８０度をする設定になっていると判断すると、ステップＳ３０１２おいて、ＣＰＵ１２１は記憶部１２５の「ＱＲの印字位置」が「左上」あるいは「左下」かどうか、
を判断する。
【００４９】
ここで、「左上」あるいは「左下」である、と判断した場合、ステップＳ３０１３においてＣＰＵ１２１は、出来上がり右半分の画像を１８０度回転させた倍サイズの出力物（図２の出力物２０５）を印刷するよう制御する。そして、ステップＳ３００１に戻って、処理を繰り返すことになる。
【００５０】
一方、ステップＳ３０１２において、「左上」あるいは「左下」でない、（すなわち「右上」あるいは「右下」である、）と判断した場合、ステップＳ３０１４に進む。そしてステップＳ３０１４においてＣＰＵ１２１は、出来上がり左半分の画像を１８０度回転させた倍サイズの出力物（図２の出力物２１５）を印刷するよう制御する。そして、ステップＳ３００１に戻って、処理を繰り返すことになる。
【００５１】
以上のようにＣＰＵ１２１がＭＦＰ１００の各構成を制御することで、ダブルコピー１８０度する際に、原稿の倍サイズの裁断前の用紙の読み取り位置にも、裁断後の２枚の各出力用紙の読み取り位置にも、ＱＲコードが印刷されている印刷物が出力される。
【００５２】
（その他の実施例）
上記実施例において、ＱＲコードの埋め込み機能とダブルコピー１８０度の機能を、組み合わせて同時に使える例を示したが、ＱＲコードの埋め込み機能とダブルコピー１８０度の機能を、排他制御しても構わない。すなわち、例えば、ＱＲコード埋め込み機能が有効な設定になっている場合には、ダブルコピー１８０度の機能は有効にできないように受付部１２４を制御することで実現可能である。これにより、ダブルコピー１８０度をした結果、読み取り位置にＱＲコードが印刷されない出力物が生成されてしまうことが、あらかじめ予防されることになる。
【００５３】
上記実施例において、「ＱＲの印刷位置」に応じて、出来上がり右半分あるいは出来上がり左半分のいずれかの画像を１８０度回転する例を示したが、これに限らない。裁断前の出力物および裁断後の出力物の両方に対して、読み取り位置にＱＲコードが印刷されれば、いかなる方法でも構わない。例えば、いずれも右半分を１８０度回転するが、ＱＲコードの位置が右上あるいは右下だった場合には、左上あるいは左下にＱＲコードの位置を変更して印刷する、という方法でも構わない。
【００５４】
上記実施例においてコードの例として二次元コードであるＱＲコードを使用したが、ＱＲコードに限らず、ＳＴコード、バーコード、マークなど情報を付加できるものであればなにを使用してもかまわない。
上記実施例において、画像形成装置としてＭＦＰの例を示したが、これに限らない。プリンタなど、画像形成が可能な装置であればなにを使用してもかまわない。
【００５５】
上記実施例における記憶媒体である記憶部１２５は、デジタル情報を格納できる媒体（例えば、ＨＤＤやＲＡＭ）であれば何でもよい。
【００５６】
上記実施例において、コード埋め込み設定を画像形成装置で設定して保持する例を示したが、これに限らない。例えば、ユーザＰＣ側で設定し、印刷設定の情報として印刷データに付加して画像形成装置に送信するようにしてもかまわない。
【００５７】
また、本願発明の目的は、上記実施例で示したフローチャートの手順を実現するプログラムを記憶した記憶媒体から、コンピュータが、そのプログラムを読出し実行することによっても達成される。この場合、記憶媒体から読出されたプログラム自体が上述した実施形態の機能を実現することになる。そのため、このプログラムやプログラムを記憶した記憶媒体も本願発明を構成することができる。
【符号の説明】
【００５８】
１００  ＭＦＰ
１２１  ＣＰＵ
１２２  表示部
１２３  通信部
１２４  受付部
１２５  記憶部
１２６  印刷部
１２７  読取部
１２８  デコーダ
１５３  ＱＲコード
【図１】
2013143708.tif 000003
【図２】
2013143708.tif 000004
【図３】
2013143708.tif 000005
【図４】
2013143708.tif 000006
【図５】
2013143708.tif 000007